(57)【特許請求の範囲】
【請求項１】
荷物を収納可能なロッカーボックス部と、所定操作により閉じられて施錠される開閉扉部とからなるロッカーシステムの捺印／プリント装置であって、
受領書を挿入する挿入口と、
前記挿入口に挿入された受領書に定形データを捺印するスタンプと、
前記挿入口に挿入された受領書に可変データを印字するプリンタと、
前記受領書を前記挿入口に挿入することを催促する情報を表示する表示手段と、
前記受領書への捺印および印字が完了した旨の指示を配達人から受け付ける指示受付手段と、
前記受領書を前記挿入口に挿入することを催促する情報が前記表示手段に表示されてから、前記指示受付手段によって捺印および印字が完了した旨の指示を前記配達人から受け付けるまでの期間に、前記受領書が前記挿入口に挿入されたことが検出された場合には、前記スタンプおよび前記プリンタを制御して捺印および印字を行う制御手段と、
を備えたことを特徴とするロッカーシステムの捺印／プリント装置。
【請求項２】
前記挿入口に連続して前記スタンプ及び前記プリンタを配置し、前記スタンプ及び前記プリンタに対向してテーブルを配置し、前記挿入口から受領書が挿入された時、このテーブルと前記スタンプとの間に前記受領書を挟んでこの受領書に定形データを捺印すると共に、前記テーブルと前記スタンプとの間に前記受領書を挟んだまゝ前記受領書に可変データを印字することを特徴とする請求項１に記載のロッカーシステムの捺印／プリント装置。
【請求項３】
前記スタンプは、前記プリンタよりも前記挿入口に近い位置に配置されていることを特徴とする請求項１または２項記載のロッカーシステムの捺印／プリント装置。
【請求項４】
前記定形データが少なくとも建屋名データを含むことを特徴とする請求項１乃至３のいずれかに記載のロッカーシステムの捺印／プリント装置。
【請求項５】
前記可変データが少なくとも日時データを含むことを特徴とする請求項１乃至３のいずれかに記載のロッカーシステムの捺印／プリント装置。
【請求項６】
前記挿入口近傍に排水機構を設けたことを特徴とする請求項１乃至５のいずれかに記載のロッカーシステムの捺印／プリント装置。
【発明の詳細な説明】
【０００１】
【発明の属する技術分野】
本発明は、マンションなどの集合住宅に設置されて、宅配物などの荷物を一時保管するロッカーシステムに係り、特に、配達人が所有する荷物の受領書に捺印し印字するロッカーシステムの捺印／プリント装置に関する。
【０００２】
【従来の技術】
近年、マンションなどの集合住宅では、居住者が不在の時でも宅配物等の荷物を他人に預けることなく管理できるように、複数のロッカーボックスを備えたロッカーシステムが設置される傾向にある。
【０００３】
このようなロッカーシステムでは、操作盤にカードリーダ、テンキー、表示装置、及び電子機器からなる制御装置が設置される。
【０００４】
宅配業者等の配達人が、テンキーを操作して受取人及びロッカーボックスを指定すると、制御装置は、指定されたロッカーボックスを解錠（ｕｎｌｏｃｋ）し、配達人はそのロッカーボックス内に荷物を収納する。居住者は、ロッカーボックスから荷物を取り出すには、磁気カードをカードリーダのカード挿入口に差し込んだり、テンキーを操作して暗証番号を入力する。すると、制御装置は、その居住者宛に届けられた荷物が収納されたロッカーボックスを解錠し、居住者は当該ロッカーボックスから荷物を取り出すことができる。
【０００５】
ここで、ロッカーボックス内に荷物を収納した配達人は、操作盤に設置されたプリンタがロールペーパーに印字した配達日時、受取人の部屋番号、荷物収納のロッカーボックス番号等を記入した紙葉を、切り取って持ち帰っている。
【０００６】
【発明が解決しようとする課題】
ところが、宅配業者などの配達人は、荷物を配達した証明として、手持ちの受領書（伝票等）に受領印として捺印を求めるのが一般的である。また、プリンタにて別途プリントアウトされ切り取られた紙葉は、紛失しやすい等の問題点がある。
【０００７】
本発明の課題は、上述の事情を考慮してなされたものであり、配達人が所有する荷物の受領書に建屋名データを捺印し、略同時に、日時データを印字することができるロッカーシステムの捺印／プリント装置を提供することにある。
【０００８】
【課題を解決するための手段】
請求項１記載の発明は、荷物を収納可能なロッカーボックス部と、所定操作により閉じられて施錠される開閉扉部とからなるロッカーシステムの捺印／プリント装置であって、受領書を挿入する挿入口と、前記挿入口に挿入された受領書に定形データを捺印するスタンプと、前記挿入口に挿入された受領書に可変データを印字するプリンタと、前記受領書を前記挿入口に挿入することを催促する情報を表示する表示手段と、前記受領書への捺印および印字が完了した旨の指示を配達人から受け付ける指示受付手段と、前記受領書を前記挿入口に挿入することを催促する情報が前記表示手段に表示されてから、前記指示受付手段によって捺印および印字が完了した旨の指示を前記配達人から受け付けるまでの期間に、前記受領書が前記挿入口に挿入されたことが検出された場合には、前記スタンプおよび前記プリンタを制御して捺印および印字を行う制御手段と、を備えたことを特徴とするものである。
【０００９】
請求項２記載の発明は、請求項１に記載の発明において、前記挿入口に連続して前記スタンプ及び前記プリンタを配置し、前記スタンプ及び前記プリンタに対向してテーブルを配置し、前記挿入口から受領書が挿入された時、このテーブルと前記スタンプとの間に前記受領書を挟んでこの受領書に定形データを捺印すると共に、前記テーブルと前記スタンプとの間に前記受領書を挟んだまゝ前記受領書に可変データを印字することを特徴とするものである。
【００１０】
請求項３記載の発明は、請求項１または２に記載の発明において、前記スタンプは、前記プリンタよりも前記挿入口に近い位置に配置されていることを特徴とするものである。
【００１１】
請求項４記載の発明は、請求項１乃至３のいずれかに記載の発明において、前記定形データが少なくとも建屋名データを含むことを特徴とするものである。
【００１２】
請求項５記載の発明は、請求項１乃至３のいずれかに記載の発明において、前記可変データが少なくとも日時データを含むことを特徴とするものである。
【００１３】
請求項６記載の発明は、請求項１乃至５のいずれかに記載の発明において、前記挿入口近傍に排水機構を設けたことを特徴とするものである。
【００１４】
請求項１乃至５に記載の発明には、次の作用がある。すなわち、挿入口に挿入された受領書に定形データ、建屋名データを捺印するスタンプと、挿入口に挿入された受領書に可変データ、日時データを印字するプリンタとが配置されたので、配達人が所有する荷物の受領書に建屋名データを捺印し、略同時に、日時データを印字することができる。
【００１５】
請求項６に記載の発明には、次の作用がある。すなわち、挿入口近傍に排水機構を設けたことから、挿入口近傍に缶ジュース等の内容物がいたずら等によって注水されても、この内容物が排水機構によって排水されるので、捺印／プリント装置等の電気回路に漏電などの故障を生じさせることを防止できる。
【００１７】
【発明の実施の形態】
以下、本発明の実施の形態を図面に基づいて説明する。
【００１８】
図１は、本発明に係るロッカーシステムの全体構成図である。図２は、操作盤を、一部を切り欠いて示す正面図である。図３は、図２の操作盤の内部を示す平面図である。
【００１９】
図１に示すロッカーシステム１０は、マンション等の集合住宅の入口に設置されて宅配物などの荷物を一時保管するものであり、複数のロッカーボックス１１と一つの操作盤１３とを有して構成される。  ロッカーボックス１１は、荷物を収納するものであり、居住者戸数の１５〜２５％程度の個数設置される。このロッカーボックス１１は、収納される荷物の大きさに対応して異なるサイズが用意され、小さな順からＳＳサイズ、Ｍサイズ、Ｌサイズ、ＬＬサイズの各サイズが用意されている
これらのロッカーボックス１１は、ＳＳサイズ及びＳサイズの複数のロッカーボックス１１と操作盤１３とを多段に配置してＣＴロッカーユニット１４を構成する。また、ロッカーボックス１１は、Ｓサイズの複数のロッカーボックス１１を多段に配置してＳロッカーユニット１５を構成する。また、ロッカーボックス１１はＳサイズの複数のロッカーボックス１１とＭサイズの一つのロッカーボックス１１とを多段に配置してＭロッカーユニット１６を構成する。更に、ロッカーボックス１１は、Ｓサイズのロッカーボックス１１とＬサイズのロッカーボックス１１とをそれぞれ1個ずつ2段に配置してＬロッカーユニット１７を構成する。また、ロッカーボックス１１は、ＬＬサイズのロッカーボックス１１にてＬＬロッカーユニット１８を構成する。これらのＣＴロッカーユニット１４、Ｓロッカーユニット１５、Ｍロッカーユニット１６、Ｌロッカーユニット１７及びＬＬロッカーユニット１８が、互いに側面を接触させ交換可能に配列されてロッカーシステム１０が構成される。
【００２０】
上記操作盤１３は、図３に示すように、電源部１９、表示装置２０、人体検出センサ２１、カードリーダ２２、捺印／スタンプ装置２３及び集中制御装置２４を有して構成される。操作盤１３の図２に示す操作盤面２６に、表示装置２０の表示画面２５、人体検出センサ２１の投受光面２７，カードリーダ２２のカード挿入口２８、捺印／スタンプ装置２３の受領書挿入口２９及び受領書案内口３０が設けられる。
【００２１】
図３に示すように、電源部１９は、交流100Vの電源を所定電圧、電流の直流に変換して、表示装置２０、捺印／スタンプ装置２３及び集中制御装置２４などへ給電する。
【００２２】
表示部としての表示装置２０は、ＣＲＴ表示装置（ｃａｔｈｏｄｅ  ｒａｙ  ｔｕｂｅ）又はＬＣＤ（液晶表示装置）であり、その表示画面２５にタッチパネル操作器が組み付けられて構成される。表示装置２０は、集中制御装置２４からの指令信号Ａにより、その表示画面２５にロッカーシステム１０の動作状態、ロッカーボックス１１内への荷物の収納状態などを表示する。タッチパネル操作器は、表示装置２０の表示画面２５の指定個所が、宅配業者などの配達人、居住者又は管理人によりタッチされて選択されたときに、その選択信号Ｂを集中制御装置２４へ出力し、この集中制御装置２４からの指令信号Ａにより表示画面２５の画面表示を切り換えたり、集中制御装置２４に選択した動作を実行させる。
【００２３】
つまり、配達人は、荷物の「お届け」又は「引取り」に際して、タッチパネルを操作して、届け出先の居住者の部屋番号やロッカーボックス１１のサイズの指定を実施する。また、居住者は、荷物の「受取り」又は「預け」に際して、同じくタッチパネルを操作し、本人の部屋番号や暗証番号などを入力する。
【００２４】
人体検出センサ２１は、投受光面２７から赤外線を投射し、その反射光を投受光面２７にて受光することにより、人体が操作盤１３の前方の所定範囲に入ったことを検出する。この人体検出センサ２１の検出信号Ｃは集中制御装置２４に出力される。
【００２５】
カードリーダ２２は、居住者などが所有する磁気カードがカード挿入口２８から挿入されたとき、その内容を読み取って読取信号Ｄを集中制御装置２４へ出力する。この読取信号Ｄにより、集中制御装置２４が実行する後述の受取りモード及び預けモードが簡易化される。
【００２６】
捺印／スタンプ装置２３は、後に詳説するが、配達人が受領書挿入口２９に受領伝票等の受領書３１を挿入し、この受領書３１が受領書検出センサ３２により位置検出されて検出信号Ｅが集中制御装置２４へ出力されたとき、集中制御装置２４から出力される駆動信号Ｆにより駆動して、受領書３１に後述の建屋名データ等の定形データを捺印するとともに、日時データ等の変更可能な可変データを印字する。
【００２７】
一方、各ロッカーボックス１１は、図５に示すように、正面に開閉扉としてのドア３３がヒンジにより設置されたものであり、このドア３３が電子錠３４により施錠される。この電子錠３４は、ドア３３が閉じられたとき施錠されるものであり、集中制御装置２４からの解錠信号Ｇにより解錠（ｕｎｌｏｃｋ；電子錠３４があけられること）される。各ロッカーボックス１１には、電子錠３４の施錠状態及び解錠状態を検出する状態検出センサ３５が内蔵され、その状態信号Ｈが集中制御装置２４へ出力される。
【００２８】
更に、ロッカーボックス１１には、その底面又は底面近傍に荷物検出センサ３６が設置されている。この荷物検出センサ３６は、投光器３６Ａから受光器３６Ｂへ照射された赤外線３６Ｃが、ロッカーボックス１１内に収納された荷物により遮断されたとき、受光器３６ＢがＯＦＦ信号を出力して荷物有を検出し、上記荷物検出センサ３６が受光器３６Ｂにて受光されているときに、受光器３６ＢがＯＮ信号を出力して荷物無を検出する。受光器３６Ｂからの出力信号Ｉ（ＯＮ，ＯＦＦ）は、集中制御装置２４へ出力されて荷物の有無が判定され、また、投光器３６Ａの制御は集中制御装置２４にて実施される。
【００２９】
また、各ロッカーボックス１１には動体検出センサ３７が設置されている。この動体検出センサ３７は、各ロッカーボックス１１内において、人又は動物などの動体から発せられる赤外線の変化を検出するものであり、赤外線パッシッブ方式のセンサである。ロッカーボックス１１内に子供や小動物が閉じ込められて暴れたとき、その動きを子供や小動物から発せられる赤外線の変化として検出し、この検出信号Ｊを集中制御装置２４へ出力する。
【００３０】
操作盤１３の前期集中制御装置２４は、図３および図５に示すように、操作盤１３の表示装置２０、人体検出センサ２１、カードリーダ２２及び捺印／スタンプ装置２３、並びに各ロッカーボックス１１の電子錠３４，状態検出センサ３５，荷物検出センサ３６及び動体検出センサ３７に電気的に接続されている。そして、集中制御装置２４は、表示装置２０のタッチパネル操作器を介しての居住者や配達人の指示を検出し、予め設定された動作シーケンスにもとづき荷物の収納受付け、ロッカーボックス１１の電子錠３４の解錠、ロッカーボックス１１内への荷物の検出、ロッカーボックス１１の電子錠３４の施錠、電子錠３４の状態チェック、ロッカーボックス１１内での荷物の管理、荷物の引渡し受付け、磁気カードの読み取り、子供などの動体の検出、捺印／スタンプ装置２３の動作などの制御を実施する。
【００３１】
特に、集中制御装置２４は、人体検出センサ２１にて人体が操作盤１３に近づいたことが検出されたときに、表示装置２０の表示画面２５に案内画面（図１１（Ｂ））を表示して、ロッカーボックス１１内に荷物があること（着荷）、及びロッカーボックス１１内に荷物が滞留していることを区分して示し、その際、その荷物の受取人である居住者の部屋番号を表示する。上記案内画面は、お届け、引取り、受取り及び預けなどの選択釦３８が表示された図１１（Ｃ）に示す選択メニュー画面とは別に、その前に表示する。また、集中制御装置２４は、ロッカーボックス１１内に荷物が所定時間（例えば２４〜４８時間）以上収納されているときに、その荷物が滞留していると判定する。
【００３２】
また、集中制御装置２４は、配達人が選択メニュー画面（図１１（Ｃ））のお届け選択釦３８をタッチしてお届けモードを実行する際に、図１３（Ｂ）のボックスサイズ選択画面を表示して、荷物の大きさに対応したロッカーボックス１１のサイズ（ＳＳ、Ｓ、Ｍ、Ｌ、ＬＬ）を選択できる選択キー３９を表示する。その後、集中制御装置２４は、図１３（Ｃ）に示すボックス番号選択画面を表示して、配達人より指定された選択キー３９が示すサイズのロッカーボックス１１のうち、荷物未収納のロッカーボックス１１のボックス番号を、ロッカーボックス１１のサイズとともに表示する。
【００３３】
更に、集中制御装置２４は、図５に示す動体検出センサ３７にてロッカーボックス１１内に子供や小動物が検出されたとき、当該ロッカーボックス１１の電子錠３４を解錠する解錠信号Ｇを送信して、この電子錠３４を強制的に解錠し、ロッカーボックス１１内の子供や小動物がロッカーボックス１１のドア３３を開けることができるようにする。
【００３４】
ここで、図４に示すように、集中制御装置２４は、複数のＣＴロッカーユニット１４，Ｓロッカーユニット１５、Ｍロッカーユニット１６，Ｌロッカーユニット１７、ＬＬロッカーユニット１８における複数のロッカーボックス１１と、各ロッカーユニット１４、１５、１６、１７、１８に設置の中継制御装置４０を介して接続される。つまり、操作盤１３の集中制御装置２４は、第１メインケーブル４１ＡによってＣＴロッカーユニット１４に設置の中継制御装置４０に接続され、このＣＴロッカーユニット１４の中継制御装置４０が、第２メインケーブル４１ＢによってＳロッカーユニット１５に設置の中継制御装置４０に接続される。このＳロッカーユニット１５の中継制御装置４０が、第３メインケーブル４１ＣによってＭロッカーユニット１６に設置の中継制御装置４０に接続され、以下同様に、このＭロッカーユニット１６に設置の中継制御装置４０が、第４メインケーブル４１ＤによってＬロッカーユニット１７に設置の中継制御装置４０に接続され、このＬロッカーユニット１７に設置の中継制御装置４０が、第５メインケーブル（不図示）によってＬＬロッカーユニット１８に設置の中継制御装置に接続される。
【００３５】
そして、ＣＴロッカーユニット１４に設置の中継制御装置４０と、同じくＣＴロッカーユニット１４に設置の複数のロッカーボックス１１とが第１サブケーブル４４Ａにより接続される。また、Ｓロッカーユニット１５に設置の中継制御装置４０と、同じくＳロッカーユニット１５に設置の複数のロッカーボックス１１とが第２サブケーブル４４Ｂにより接続される。更に、Ｍロッカーユニット１６に設置の中継制御装置４０と、同じくＭロッカーユニット１６に設置の複数のロッカーボックス１１とが第３サブケーブル４４Ｃにより接続される。以下、同様に、Ｌロッカーユニット１７に設置の中継制御装置４０と、同じくＬロッカーユニット１７に設置の複数のロッカーボックス１１とが第４サブケーブル（不図示）により接続され、ＬＬロッカーユニット１８に設置の中継制御装置４０と、ＬＬロッカーユニット１８に設置の複数のロッカーボックス１１とが第５サブケーブル（不図示）によって接続される。
【００３６】
第１メインケーブル４１Ａ、第２メインケーブル４１Ｂ、第３メインケーブル４１Ｃ、…などのメインケーブルと、第１サブケーブル４４Ａ、第２サブケーブル４４Ｂ、第３サブケーブル４４Ｃ、…などのサブケーブルとは、３線式のシリアル通信線であり、第１メインケーブル４１Ａ、第２メインケーブル４１Ｂ、第３メインケーブル４１Ｃ、…などのメインケーブルがバスラインを構成する。各中継制御装置４０は、集中制御装置２４から、同一のロッカーユニットに設置のロッカーボックス１１へ出力された信号を当該ロッカーボックス１１へ振り分けて送信し、逆に、同一のロッカーユニットに設置のロッカーボックス１１からの信号を集中制御装置２４へまとめて送信する。
【００３７】
前述の捺印／スタンプ装置２３は、図７〜図９に示すように、前記受領書挿入口２９，スタンプ４７，プリンタ４８，印字ヘッド４９，テーブル５０，昇降用ロッド５１，作動ロッド５２、ソレノイド５３及び前記受領書検出センサ３２を有して構成される
受領書挿入口２９は、側断面略く字形状の受領書案内口３０の先端部に開口して設けられ、この受領書挿入口２９に連続してスタンプ４７及びプリンタ４８が配置される。スタンプ４７が、受領書挿入口２９から挿入された受領書３１に建屋データ、つまりマンションなどの建屋名を捺印可能とする。また、プリンタ４８が、受領書挿入口２９から挿入された受領書３１に日時データ、つまり配達日時、荷物の受取人である居住者の部屋番号、及び荷物を収納したボックス番号などを印字ヘッド４９を用いて印字可能とする。
【００３８】
テーブル５０は、スタンプ４７及びプリンタ４８に対向して配置され,両側部に突出されたガイド突起５４が、ロッドガイド５５の鉛直方向に延びる鉛直ガイド孔５６に遊嵌される。ロッドガイド５５は、捺印／スタンプ装置２３の図示しないベースに固定される。テーブル５０の上に、受領書挿入口２９から挿入された受領書３１が載置可能とされる。
【００３９】
作動ロッド５２は、ソレノイド５３によって図７の左右方向に進退自在に作動され、この作動ロッド５２に直交状態で２本の昇降用ロッド５１が挿通配置される。それぞれの昇降用ロッド５１の両先端部は、テーブル５０の昇降用孔５７に挿通された後、ロッドガイド５５の水平ガイド孔５８に挿通される。昇降用孔５７は、受領書挿入口２９へ向かう方向が斜め上方となるように傾斜して設けられ、水平ガイド孔５８が水平方向に延在する。
【００４０】
従って、昇降用ロッド５１、昇降用孔５７及び水平ガイド孔５８の作動により、ソレノイド５３を駆動させて作動ロッド５２をソレノイド５３側へ引き込むことにより、テーブル５０がスタンプ４７及びプリンタ４８へ向かって上昇し、また、作動ロッド５２を受領書挿入口２９側へ押し出すことにより、テーブル５０が下降する。
【００４１】
集中制御装置２４は、受領書３１が受領書挿入口２９に挿入されて、受領書検出センサ３２にて検出され、この受領書検出センサ３２から検出信号Ｅが出力されたとき、ソレノイド５３を駆動させてテーブル５０を上昇させて、このテーブル５０とスタンプ４７との間に受領書３１を挟み、このスタンプ４７により受領書３１に建屋データを捺印する。集中制御装置２４は、その後、テーブル５０とスタンプ４７との間に受領書３１を挟み込んだままプリンタ４８を動作させて、プリンタ４８の印字ヘッド４９により受領書３１に日時データを印字する。
【００４２】
図７及び図２に示すように、受領書挿入口２９近傍の受領書案内口３０下縁部には、所定間隔で排水口５９が開口される。また、操作盤１３の底面６０には、図３に示すように、操作盤面２６側の中央位置に流出口６１が開口される。これらの排水口５９及び流出口６１が排水機構を構成する。受領書案内口３０に缶ジュース等の内容物が注水されたとき、その内容物は排水口５９から流出口６１を経て、操作盤１３が配置された直下のロッカーボックス１１内へ流出し、捺印／スタンプ装置２３を含む操作盤１３の電流回路に漏洩などの故障が生じないよう設けられる。
【００４３】
なお、図２中の符号６２は、ロッカーシステム１０が作動中であることを示す電源ランプであり、符号６３は、いずれかのロッカーボックス１１内に滞留した荷物があることを示す滞留ランプである。
【００４４】
次に、上述のように構成されたロッカーシステム１０の操作、つまり、集中制御装置２４の制御手順を図１０〜図１７を用いて説明する。
【００４５】
（１）初期モード（図１０、図１１、図１２）
この初期モードは、操作盤１３における表示装置２０の表示画面２５に、着荷及び滞留状況を示す案内画面と、お届けなどの選択釦３８を示す選択メニュー画面とを表示させるモードである。
【００４６】
操作盤１３における人体検出センサ２１が人影を検出するまでは、集中制御装置２４は、表示装置２０の表示画面２５を無表示の待受け画面（図１１（Ａ））とする（Ｓ１）。
【００４７】
人体検出センサ２１が人影を検出したときに（Ｓ２）、集中制御装置２４は、表示装置２０のバックライトを駆動させて、表示装置２０に案内画面（図１１（Ｂ））を表示させる（Ｓ３）。この案内画面には、ロッカーボックス１１内に収納された荷物の受取人である居住者の部屋番号（着荷部屋番号）と、ロッカーボックス１１内に所定時間以上収納されて滞留状態となった荷物の受取人である居住者の部屋番号（滞留部屋番号）と、使用禁止状態にあるロッカーボックス１１のボックス番号とが区分して表示される。
【００４８】
案内画面の利用開始釦がタッチされるか（Ｓ４）、人体検出センサ２１が人影を検出してから一定時間経過後に（Ｓ５）、集中制御装置２４は、表示装置２０の表示画面２５を選択メニュー画面（図１１（Ｃ））に移す（Ｓ６）。この選択メニュー画面には、配達人が使用する「お届け」および「引取り」の選択釦３８と、居住者が使用する「受取り」、「預け」および「不在・在宅登録」の選択釦３８が表示される。
【００４９】
選択メニュー画面上のいずれか一の選択釦３８がタッチされると、集中制御装置２４は、お届けモード、引取りモード、受取りモード、預けモード、不在・在宅登録モードをそれぞれ実行する。お届けモードは、配達人がロッカーボックス１１内の荷物を収納するためのモードであり、引取りモードは、配達人がロッカーボックス１１内から荷物を引き取るためのモードである。また、受取りモードは、居住者がロッカーボックス１１内から荷物を受け取るためのモードであり、預けモードは、居住者がロッカーボックス１１内へ荷物を預けて、配達人に荷物を引き取らせるためのモードである。更に、不在・在宅登録モードは、居住者が不在又は在宅を登録するためのモードである。
【００５０】
以下、代表的なお届けモード及び受取りモードについて説明する。
【００５１】
（２）お届けモード（図１２、図１３、図１４）
表示装置２０の表示画面２５に表示された選択メニュー画面の「お届け」選択釦３８がタッチされたとき（Ｓ２１）、集中制御装置２４は、表示装置２０の表示画面２５に部屋番号受付画面（図１３（Ａ））を表示させる（Ｓ２２）。この部屋番号受付画面上でお届け先の部屋番号が入力されＯＫ釦がタッチされた時（Ｓ２３）、集中制御装置２４は、表示装置２０の表示画面２５をボックスサイズ選択画面（図１３（Ｂ））に移す（Ｓ２４）。この時、未登録の部屋番号が登録されたり、部屋番号の入力が設定回数以上繰り返された時には、集中制御装置２４は、不正な操作があったと判断して、表示装置２０の表示装置２５を運転開始状態の無表示画面（図１１（Ａ））へ戻す（Ｓ２３）。
【００５２】
ボックスサイズ選択画面には、ロッカーボックス１１のボックスサイズ（ＳＳ、Ｓ、Ｍ、Ｌ、ＬＬの各種サイズ）を示す選択キー３９が表示されており、いずれか一の選択キー３９がタッチされてＯＫ釦がタッチされた時（Ｓ２５）、集中制御装置２４は、表示装置２０の表示画面２５をボックス番号選択画面（図１３（Ｃ））に移す（Ｓ２６）。
【００５３】
このボックス番号選択画面には、選択されたボックスサイズのうちで使用可能なロッカーボックス１１のボックス番号が表示される。当該ロッカーボックス１１が複数ある場合には、複数のボックス番号が表示される。この状態でＯＫ釦がタッチされると（Ｓ２７）、集中制御装置２４は、最上段に表示されたボックス番号のロッカーボックス１１を選択し、そのロッカーボックス１１の電子錠３４を解錠させる（Ｓ２８）。この時、複数のボックス番号の中からロッカーボックス１１を選択することも可能である。
【００５４】
集中制御装置２４は、ロッカーボックス１１の電子錠３４を解錠させると同時に、表示装置２０の表示画面２５を荷物収納画面（図１４（Ｄ））に移す（Ｓ２９）。選択されたロッカーボックス１１のドア３３が開き、荷物が収納されてドア３３が閉められたとき、荷物検出センサ３６により荷物が検出され、集中制御装置２４は当該ロッカーボックス１１の電子錠３４を施錠する。
【００５５】
荷物収納画面（図１４（Ｄ））において、ＯＫ釦がタッチされると（Ｓ３０）、集中制御装置２４は、表示装置２０の表示画面２５をスタンプ等催促画面（図１４（Ｅ））に移し（Ｓ３１）、受領書３１へのスタンプを促す。操作盤１３の受領書挿入口２９に受領書３１が挿入され、この受領書３１が受領書検出センサ３２にて所定位置まで挿入されたことが検出されたとき、集中制御装置２４は捺印／スタンプ装置２３を作動させて、挿入された受領書３１に建屋名を捺印させ、配達日時等を印字させる。
【００５６】
スタンプ等催促画面においてスタンプＯＫ釦がタッチされると（Ｓ３２）、集中制御装置２４は、表示装置２０の表示画面２５を終了確認画面（図１４（Ｆ））に移す（Ｓ３３）。スタンプ等催促画面のスタンプＯＫ釦の操作がなされない時には、一定時間経過後に運転開始状態の無表示画面（図１１（Ａ））に戻す。
【００５７】
集中制御装置２４は、図１４（Ｆ）の終了確認画面において「同じ部屋に荷物がある」釦がタッチされると、表示装置２０の表示画面２５をボックスサイズ選択画面（図１３（Ｂ））に戻し（Ｓ３４）、「別の部屋に荷物がある」釦がタッチされると、表示装置２０の表示画面２５を部屋番号受付画面（図１３（Ａ））に戻し（Ｓ３５）、「荷物なし」釦がタッチされると、表示装置２０の表示画面２５を運転開始状態の無表示画面（図１１（Ａ））に戻す（Ｓ３６）。
【００５８】
（３）受取りモード（図１５、図１６、図１７）
表示装置２０の表示画面２５に表示された選択メニュー画面（図１１（Ｃ））の「受取り」選択釦３８がタッチされたとき（Ｓ４１）、集中制御装置２４は、表示装置２０の表示画面２５に部屋番号・カード受付画面（図１６（Ａ））を表示させる（Ｓ４２）。
【００５９】
この部屋番号・カード受付画面で受取人である居住者の部屋番号が入力され、ＯＫ釦がタッチされたときに、集中制御装置２４は、暗証番号受付画面（図１６（Ｂ））を表示させる（Ｓ４３）。ただし、部屋番号・カード受付画面で、操作盤１３のカード挿入口２８に磁気カードが挿入されたとき、集中制御装置２４は、上記ステップＳ４３を省略し、後述のステップＳ４４を実行する。
【００６０】
暗証番号受付画面（図１６（Ｂ））において、居住者により暗証番号が入力されてＯＫ釦がタッチされたとき、または、部屋番号・カード受付画面（図１６（Ａ））でカード挿入口２８に磁気カードが挿入された時に、集中制御装置２４は、ボックス番号表示画面（図１６（Ｃ））を表示させる（Ｓ４４）。
【００６１】
このボックス番号表示画面上でＯＫ釦がタッチされると、集中制御装置２４は、当該ボックス番号のロッカーボックス１１の電子錠３４を解錠させると共に（Ｓ４５）、表示装置２０の表示画面２５をドア閉指示画面（図１７（Ｄ））に移し（Ｓ４６）、荷物の取り出しとドア３３の閉操作を促す。
【００６２】
ロッカーボックス１１内からの荷物が取り出されたことが荷物検出センサ３６により検出されるとともに（Ｓ４７）、ロッカーボックス１１のドア３３が閉じられて当該ロッカーボックス１１の電子錠３４が施錠されたことが状態検出センサ３５により検出され、さらに、ロッカーボックス閉指示画面（図１７（Ｄ））上のＯＫ釦がタッチされたとき、集中制御装置２４は、表示装置２０の表示画面２５を終了確認画面（図１７（Ｅ））に移す（Ｓ４８）。
【００６３】
この終了確認画面において、再取出し釦がタッチされたとき、集中制御装置２４は、表示装置２０の表示画面２５をボックス番号表示画面（図１６（Ｃ））に移し、他のロッカーボックス１１にある荷物の取り出しを促す。また、終了確認画面において終了釦がタッチされたとき、集中制御装置２４は、表示装置２０の表示画面２５を運転開始状態の無表示画面（図１１（Ａ））に戻す（Ｓ４９）。
【００６４】
以上のように構成されたことから、上記実施の形態によれば、次の効果▲１▼〜▲８▼を奏する。
【００６５】
▲１▼集中制御装置２４は、ＣＴロッカーユニット１４、Ｓロッカーユニット１５、Ｍロッカーユニット１６、Ｌロッカーユニット１７、ＬＬロッカーユニット１８にそれぞれ配置された中継制御装置４０を介して、当該ロッカーユニット１４、１５、１６、１７、１８の複数のロッカーボックス１１に接続されたので、集中制御装置２４が複数のロッカーボックス１１に直接接続される場合に比べ、配線の本数を低減できる。この結果、複数のロッカーボックス１１と集中制御装置２４との配線を簡素化でき、ＣＴロッカーユニット１４、Ｓロッカーユニット１５、Ｍロッカーユニット１６、、Ｌロッカーユニット１７、ＬＬロッカーユニット１８の交換に伴う集中制御装置２４とロッカーボックス１１との配線接続作業を容易化できる。
【００６６】
▲２▼ロッカーボックス１１に人が近づいたとき、表示装置２０の表示画面２５に、図１１（Ｂ）に示す案内画面を表示させ、この案内画面において、滞留した荷物に対応する部屋番号を、お届け、引取り、受取り及び預け等の選択釦が表示された選択メニュー画面（図１１（Ｃ））とは別に表示させることから、部屋番号の文字を大きく、しかも表示スペースを十分確保して表示させることができ、荷物の滞留を明確に表示させることができる。
【００６７】
▲３▼表示装置２０の表示画面２５に表示される案内画面（図１１（Ｂ））において、着荷部屋番号の表示と、滞留部屋番号の表示とを区分して表示させたことから、着荷部屋番号の点滅によって滞留を表示する場合に比べ、滞留状態を本人及び周囲の居住者に強く知らせることができ、荷物滞留の早期解消を実現できる。
【００６８】
▲４▼ロッカーシステム１０のロッカーボックス１１に人が近づいたときのみ、表示装置２０の表示画面２５が、滞留した荷物に対応した部屋番号などを示す案内画面（図１１（Ｂ））に切り換わることから、滞留した荷物に対応した部屋番号を、表示装置２０の表示画面２５に人が近づかない時にも表示する場合に比べ、エネルギー消費量を低減でき、省エネルギーを実現できる。
【００６９】
▲５▼表示装置２０の表示画面２５に表示されるボックスサイズ選択画面（図１３（Ｂ））において、荷物の大きさに対応するロッカーボックス１１のサイズを選択すれば、そのサイズに対応した荷物未収納のロッカーボックス１１が表示されるので、宅配人は、荷物の大きさに対応した荷物未収納のロッカーボックス１１を探す必要がない。この結果、特にロッカーボックス１１の数が多い場合に、荷物の大きさに対応したサイズのロッカーボックス１１を迅速、且つ容易に選択できる。
【００７０】
▲６▼配達人によるお届けモード及び引取りモード、並びに居住者による受取りモード及び預かりモード以外の定常状態下で、集中制御装置２４が動体検出センサ３７から検出信号Ｊを検出したときには、集中制御装置２４は、その動体検出センサ３７が設置されたロッカーボックス１１内に子供や小動物が侵入したと判定し、当該ロッカーボックス１１の電子錠３４を強制的に解錠させ、その解錠を状態検出センサ３５にて確認する。このことから、ロッカーボックス１１内に子供や小動物が誤って侵入しても確実に脱出させることができ、ロッカーシステム１０の安全性を高めることができる。
【００７１】
▲７▼操作盤１３において、受領書挿入口２９に挿入された受領書３１に建屋名データを捺印するスタンプ４７と、受領書挿入口２９に挿入された受領書３１に日時データを印字するプリンタ４８とが配置されたので、配達人が有する荷物の受領書３１に建屋名データを捺印し、ほぼ同時に日時データを印字することができる。
【００７２】
▲８▼操作盤１３において、受領書挿入口２９近傍の受領書案内口３０に排水口５９が形成され、操作盤１３の底面６０に流出口６１が形成されたことから、受領書案内口３０に缶ジュース等の内容物がいたずらなどによって注水されても、この内容物が排水口５９及び流出口６１によって、操作盤１３直下のロッカーボックス１１内へ排水されるので、捺印／スタンプ装置２３等を含めた操作盤１３の電気回路に漏電などの故障を生じさせることを防止できる。
【００７３】
以上、実施の形態に基づいて本発明を説明したが、本発明はこれに限定されるものではない。
【００７４】
例えば、上記実施の形態では、動体検出センサ３７が赤外線の変化を検出して、ロッカーボックス１１内に侵入した子供や小動物を検出するものを述べたが、図６に示すように、ロッカーボックス１１の床面６４にばね６５等の弾性体を介して荷物受面６７を配置し、この荷物受面６７に動体検出センサとして揺動ジャイロセンサ６８を設置しても良い。また、ロッカーボックス１１の底面６４に直接、動体検出センサとしての揺動ジャイロセンサ６８を設置しても良い。これらの揺動ジャイロセンサ６８は、ロッカーボックス１１のドア３３が閉じられ電子錠３４が施錠されてから一定時間経過後に作動し、ロッカーボックス１１内に子供や小動物が侵入して暴れたとき、その揺れを検出して、ロッカーボックス１１の電子錠３４を解錠する。
【００７５】
また、動体検出センサは、ロッカーボックス１１における６枚の内面（内壁面、天面及び底面）の少なくとも一面に貼着されたシート状の感圧センサーであってもよい。この感圧センサは、ロッカーボックス１１のドア３３が閉じられ電子錠３４が施錠されてから、一定時間経過した状態を初期状態とする。この感圧センサは、ロッカーボックス１１内に子供や小動物が侵入して暴れ、初期状態と異なる箇所にタッチされた時に、ロッカーボックス１１の電子錠３４を解錠する。
【００７６】
また、上記実施の形態では、動体検出センサ３７が全てのサイズのロッカーボックス１１に設置されたが、Ｍ、Ｌ、ＬＬサイズのロッカーボックス１１にのみ設置されても良い。
【００７７】
【発明の効果】
以上のように、本発明に係るロッカーシステムの捺印／プリント装置によれば、荷物の受領書を挿入する挿入口と、この挿入口に挿入された受領書に定形データを捺印するスタンプと、挿入口に挿入された受領書に可変データを印字するプリンタとを備えたことから、配達人が所有する荷物の受領書に定形データを捺印し、ほぼ同時に、可変データを印字することができる。
【図面の簡単な説明】
【図１】 本発明に係るロッカーシステムの捺印／プリント装置の一実施の形態におけるロッカーシステムを示す全体構成図である。
【図２】図１の操作盤を、一部を切り欠いて示す正面図である。
【図３】図２の操作盤の内部を示す平面図である。
【図４】図１のロッカーシステムの配線回路を示す構成図である。
【図５】図１のロッカーボックスの内部を示す構成図である。
【図６】図５のロッカーボックスの変形例を示す斜視図である。
【図７】図３の捺印／プリント装置の主要部を示す受領書挿入前の側面図である。
【図８】図３の捺印／プリント装置の主要部を示す受領書挿入中の側面図である。
【図９】図３の捺印／プリント装置の主要部を示す分解斜視図である。
【図１０】初期モードの動作を示すフローチャートである。
【図１１】初期モード中の表示装置の表示画面であり、（Ａ）が無表示画面、（Ｂ）が案内画面、（Ｃ）が選択メニュー画面をそれぞれ示す正面図である。
【図１２】お届けモードの動作を示すフローチャートである。
【図１３】お届けモード中の表示装置の表示画面であり、（Ａ）が部屋番号受付画面、（Ｂ）がボックスサイズ選択画面、（Ｃ）がボックス番号選択画面をそれぞれ示す表面図である。
【図１４】お届けモード中の表示装置の表示画面であり、（Ｄ）が荷物収納画面、（Ｅ）がスタンプ等催促画面、（Ｆ）が終了確認画面をそれぞれ示す正面図である。
【図１５】受け取りモードの動作を示すフローチャートである。
【図１６】受け取りモード中の表示装置の表示画面であり、（Ａ）が部屋番号・カード受付画面、（Ｂ）が暗証番号受付画面、（Ｃ）がボックス番号表示画面をそれぞれ示す正面図である。
【図１７】受け取りモード中の表示装置の表示画面であり、（Ｄ）がドア閉指示画面、（Ｅ）が終了確認画面をそれぞれ示す正面図である。
【符号の説明】
１０  ロッカーシステム
１１  ロッカーボックス
１３  操作盤
２３  捺印／プリント装置
２４  集中制御装置
２９  受領書挿入口
３０  受領書案内口
３１  受領書
４７  スタンプ
４８  プリンタ
５９  排水口
６１  流出口
【図１】
0004188451.tif 000002
【図２】
0004188451.tif 000003
【図３】
0004188451.tif 000004
【図４】
0004188451.tif 000005
【図５】
0004188451.tif 000006
【図６】
0004188451.tif 000007
【図７】
0004188451.tif 000008
【図８】
0004188451.tif 000009
【図９】
0004188451.tif 000010
【図１０】
0004188451.tif 000011
【図１１】
0004188451.tif 000012
【図１２】
0004188451.tif 000013
【図１３】
0004188451.tif 000014
【図１４】
0004188451.tif 000015
【図１５】
0004188451.tif 000016
【図１６】
0004188451.tif 000017
【図１７】
0004188451.tif 000018